(57)【要約】【課題】  本発明は、故障に至る前であって、費用対効果の高い適当な時期に保守・交換することを可能にするパワーモジュールを提供することを目的とする。【解決手段】  本発明の半導体装置は、絶縁基板と、絶縁基板上に実装されたチップ電極を含む半導体チップと、第１の金属ワイヤを介して、チップ電極と電気的に接続された第１の電極と、第２の金属ワイヤを介して、チップ電極と電気的に接続された第２の電極と、を備える。第２の金属ワイヤは、第１の金属ワイヤよりも断線しやすい。【選択図】図２
2005311213.tif 000002
【特許請求の範囲】
【請求項１】
半導体装置であって、
絶縁基板と、
前記絶縁基板上に実装されたチップ電極を含む半導体チップと、
主電流を流す第１の金属ワイヤを介して、前記チップ電極と電気的に接続された第１の電極と、
前記第１の金属ワイヤより断線しやすい第２の金属ワイヤを介して、前記チップ電極と電気的に接続された第２の電極と、を備え、
前記第２の金属ワイヤの断線を示す電気信号を前記第２の電極が出力することを特徴とする半導体装置。
【請求項２】
請求項１に記載の半導体装置であって、
前記第２の電極に電気的に接続されたセンス抵抗と、
前記センス抵抗の両端の電位差をモニタすることにより、前記金属ワイヤの断線を検出する制御回路と、を備えたことを特徴とする半導体装置。
【請求項３】
請求項１に記載の半導体装置であって、
前記チップ電極は、前記主電流を流すチップ主電極と、センス電流を流すセンス電流電極と、を含み、
前記第２の金属ワイヤは、前記センス電流電極に電気的に接続されることを特徴とする半導体装置。
【請求項４】
請求項１に記載の半導体装置であって、
前記第２の金属ワイヤと前記チップ電極との間の接合界面における接合強度が、前記第１の金属ワイヤと前記チップ電極との間の接合界面における接合強度よりも小さいことを特徴とする半導体装置。
【請求項５】
請求項１に記載の半導体装置であって、
前記第２の金属ワイヤが前記第１の金属ワイヤよりも細いことを特徴とする半導体装置。
【請求項６】
請求項１に記載の半導体装置であって、
前記第２の金属ワイヤが前記第１の金属ワイヤよりも長いことを特徴とする半導体装置。
【請求項７】
請求項１に記載の半導体装置であって、
前記第１の金属ワイヤおよび前記第２の金属ワイヤは、それぞれ異なる材料からなることを特徴とする半導体装置。
【請求項８】
請求項１に記載の半導体装置であって、
前記第２の金属ワイヤと前記第２の電極との間の接合界面、および前記第２の金属ワイヤと前記チップ電極との間の接合界面の少なくとも一方に、接合強度を低減するための皮膜が形成されることを特徴とする半導体装置。
【請求項９】
半導体装置の製造方法であって、
絶縁基板上にチップ電極を含む半導体チップを実装するステップと、
第１の金属ワイヤを、第１のワイヤボンディング荷重で、チップ電極および第１の電極にワイヤボンディングするステップと、
第２の金属ワイヤを、第２のワイヤボンディング荷重で、前記チップ電極および第２の電極にワイヤボンディングするステップと、を有し、
前記第２のワイヤボンディング荷重が前記第１のワイヤボンディング荷重よりも小さいことを特徴とする製造方法。
【請求項１０】
半導体装置の製造方法であって、
絶縁基板上にチップ電極を含む半導体チップを実装するステップと、
第１の金属ワイヤを、第１の温度まで加熱して、チップ電極および第１の電極にワイヤボンディングするステップと、
第２の金属ワイヤを、第２の温度まで加熱して、前記チップ電極および第２の電極にワイヤボンディングするステップと、を有し、
前記第２の温度が前記第１の温度より低いことを特徴とする製造方法。
【発明の詳細な説明】
【技術分野】
【０００１】
本発明は、モータやヒータなどの大電流を用いる電子機器を制御するための電力用半導体装置に関し、とりわけ金属ワイヤが断線する蓋然性の高くなる時期を予測する機能を有する半導体装置に関する。
【背景技術】
【０００２】
大電流を制御する電力用半導体装置（パワーモジュール）は、一般に、モータやヒータなどの電子機器に電源を供給するために用いられる。したがって、半導体装置が故障して、所定の制御された電流が供給できなくなると、これを搭載する電子機器は、しばしば、所定の機能を達成できず、致命的な不具合を生じ得る。すなわち、こうしたパワーモジュールは、極めて高いレベルの信頼性が要求される。
【０００３】
そこで、パワーモジュールが故障したとき、これを用いた電子機器に異常な電流を供給し続けて、容易に回復し難い損傷を電子機器本体に与えることがないように、自らの電源供給機能を安全に停止する自己保護回路を有するインテリジェントパワーモジュールがすでに商品化されている。
【０００４】
従来技術によるパワーモジュールにおいて、例えば、特開平８−１９５４１１号公報は、過電流がＩＧＢＴチップなどのパワースイッチング素子に流れた場合であっても、発煙、爆発を防止できるように、過電流が流れたときに溶断する板ヒューズが、パワースイッチング素子と主電流端子との間に設けられること、および板ヒューズを格納する部屋には消弧剤が充填されることを開示している。
【０００５】
【特許文献１】特開平８−１９５４１１号公報
【０００６】
しかしながら、こうした従来技術のパワーモジュールは、ＩＧＢＴチップなどのパワースイッチング素子が過電流などにより故障した場合に、パワーモジュール、およびこれを搭載する電子機器に対する致命的な不具合を回避するためのものであって、たとえ電子機器の機能が安全に停止されたとしても、故障パワーモジュールを交換しなければ、電子機器に正常な電流を供給することはできない。すなわち、パワーモジュールは、故障したときにこれを交換することが不可欠であるが、常に交換用パワーモジュールが確保されていることを期待できず、交換作業が完了するまでは電子機器を使用できないという不都合が生じる。
【０００７】
一方、パワーモジュールは、如何に優れた製造技術をもってしても、自ら生じるジュール熱に起因する熱ストレスや、搭載された電子機器から伝わる振動による機械的ストレスなどのさまざまな要因により、時間が経過するにつれて故障する可能性を払拭することはできない。換言すると、永久に故障しないパワーモジュールを製造することは、実際のところ極めて困難である。
【０００８】
これに対処すべく、電子機器の定期的なメンテナンスにおいて、電子機器を常に良好な状態に維持・保守するために、致命的な不具合をもたらし得る構成部品は、定期的に交換・点検される。すなわち、パワーモジュールが搭載される電子機器に重大な故障を起因しうる構成部品は、しばしば、故障する蓋然性が高くなる前に交換される。
【０００９】
ところが、故障する蓋然性が高くなる時期は、実際に使用される際の動作条件などに大きく依存し、実際にメンテナンスが行われる時期と、故障する蓋然性が高くなる時期とは必ずしも一致しないことが多い。つまり、パワーモジュールは、定期的なメンテナンスを行う前に故障するか、まだ十分に使用できるにもかかわらず、メンテナンス時に、一律に交換される。その結果、定期的メンテナンスを行わない場合と同様の不都合が生じ、あるいはパワーモジュールの不必要な交換が強いられ、保守コストが嵩むという問題があった。
【発明の開示】
【発明が解決しようとする課題】
【００１０】
そこで本発明は、故障に至る前であって、費用対効果の高い適当な時期に保守・交換することを可能にするパワーモジュールを提供することを目的とする。
【課題を解決するための手段】
【００１１】
本発明の１つの態様による半導体装置は、絶縁基板と、絶縁基板上に実装されたチップ電極を含む半導体チップと、第１の金属ワイヤを介して、チップ電極と電気的に接続された第１の電極と、第２の金属ワイヤを介して、チップ電極と電気的に接続された第２の電極と、を備える。第２の金属ワイヤは、第１の金属ワイヤよりも断線しやすい。
【００１２】
また、本発明の別の態様による半導体装置の製造方法は、絶縁基板上にチップ電極を含む半導体チップを実装するステップと、第１の金属ワイヤを、第１の温度まで加熱して、第１のワイヤボンディング荷重で、チップ電極および第１の電極にワイヤボンディングするステップと、第２の金属ワイヤを、第２の温度まで加熱して、第２のワイヤボンディング荷重で、チップ電極および第２の電極にワイヤボンディングするステップと、を有する。このとき、第２のワイヤボンディング荷重を第１のワイヤボンディング荷重よりも小さくするか、第２の温度を第１の温度より低くしてワイヤボンディングする。
【発明の効果】
【００１３】
本発明によれば、半導体チップと主電極とを電気的に接続する第１の金属ワイヤよりも断線しやすい第２の金属ワイヤの電圧値をモニタし、第２の金属ワイヤの断線を検出することにより、第１の金属ワイヤが断線する蓋然性が高くなる時期を知ることができる。これにより、半導体装置が故障して、搭載された電子機器に致命的なダメージを与える前であって、費用対効果の高い時期に半導体装置を交換することができる。
【発明を実施するための最良の形態】
【００１４】
実施の形態１．
図１ないし図５を参照しながら、本発明に係るパワーモジュール（電力用半導体装置）の実施の形態１について以下に説明する。図１に示すパワーモジュール１は、概略、良好な熱伝導性を有する銅などの金属板からなる金属ベース板５と、金属ベース板５上に固定された樹脂などの絶縁材料からなるケース６と、金属ベース板５上に半田などの導電性接着剤７を介して固着された両主面に金属パターン（図示せず）を有する絶縁基板８と、を備える。また、パワーモジュール１は、ケース６の上面から内部に延びる一対の主電極１０，１１と、絶縁基板８の上に半田などの導電性接着剤９を介して固着された絶縁ゲート型バイポーラトランジスタ（ＩＧＢＴ）などの半導体チップ２０と、を有する。また、半導体チップ２０は、チップ電極２２を有する（図２参照）。
【００１５】
また図２に示すように、このパワーモジュール１は、一方の主電極１０とＩＧＢＴ２０のチップ電極２２とを電気的に接続する少なくとも１本（好適には複数の）アルミワイヤなどの金属ワイヤ１２と、他方の主電極１１と絶縁基板８の金属パターンを電気的に接続するための金属ワイヤ１３と、を有する。さらに、この実施の形態によるパワーモジュール１は、一方の主電極１０と並行して配置されたダミー電極３０と、ダミー電極３０とＩＧＢＴ２０のチップ電極２２とを電気的に接続するダミー金属ワイヤ３２と、を有する。なお、ダミー電極３０は、主電極１０と同様に、パワーモジュール１が搭載される電子機器の電源入力端子６４（図５参照）に接続され、パワーモジュール１の通電中、電流が通常の金属ワイヤ１２およびダミー金属ワイヤ３２を介してモータなどの電子機器に供給される。
【００１６】
なお、パワーモジュール１は、一般に、半導体チップ２０および絶縁基板８の上方に、半導体チップ２０および金属ワイヤ１２，１３，３２を保護するために、シリコンゲルが充填され、エポキシ樹脂および蓋を用いてその上方が封止されるが、図１および図２において、説明を分かりやすくするために、これらの構成部品を省略した。
【００１７】
ところで、パワーモジュール１に通常用いられるアルミワイヤなどの金属ワイヤ１２は、例えば、プログラマブル高周波数型超音波発振ユニットを有するワイヤボンダ（図示せず）を用いてワイヤボンディングされる。このとき、金属ワイヤ１２と主電極１０、および金属ワイヤ１２とチップ電極２２の間の接合界面に置ける接合強度（ワイヤボンディング強度）は、図３に示すように、例えば、ワイヤボンダのヘッド４０が金属ワイヤを下方に押し付ける際の荷重Ｗ、および金属ワイヤ１２を溶融するために用いられる超音波の出力値Ｐに大きく影響されることが知られており、金属ワイヤ１２の材質や径、および接合される主電極１０およびチップ電極２２の材質や表面モフォロジなどのその他のファクタを考慮して、荷重Ｗおよび超音波出力値Ｐなどの最適条件が見出される。例えば、最適なワイヤボンディング条件として、ワイヤボンディング荷重Ｗ０（Ｎ）、および超音波発振出力Ｐ０（Ｗ）が見出される。
【００１８】
このように、本発明の金属ワイヤ１２がワイヤボンディング最適化条件でワイヤボンディングされるとき、その接合界面が図４（ａ）に示すような理想的なほぼ楕円形状を有し、接合強度は最も高くなり、ひいては最も高い信頼性を期待することができる。
【００１９】
これに対し、本発明のダミー金属ワイヤ３２をワイヤボンディングする場合は、ワイヤボンダのヘッド４０の荷重Ｗが最適化されたワイヤボンディング荷重Ｗ０より小さくなるように、ワイヤボンダをプログラムする（Ｗ＜Ｗ０）。択一的には、ワイヤボンダの超音波発振出力Ｐが最適化された超音波発振出力Ｐ０よりも小さくなるように設定することにより、ワイヤボンディング時のダミー金属ワイヤ３２の温度（第２温度）が通常の金属ワイヤ１２の場合（第１温度）よりも低くなるように、ワイヤボンダを設定して（Ｐ＜Ｐ０）、ダミー金属ワイヤ３２をワイヤボンディングする。すると、ダミー金属ワイヤ３２の接合界面は、図４（ｂ）に示すように、通常の金属ワイヤ１２（図４（ａ））よりも小さい面積を有し、ダミー金属ワイヤ３２の接合強度は、通常の金属ワイヤ１２よりも小さくなる。したがって、ダミー金属ワイヤ３２の接合界面は、パワーモジュール１から生じるジュール熱による熱ストレスや、搭載される電子機器から伝わる振動による機械的ストレスなどに起因して、時間が経過するにつれて、通常の金属ワイヤ１２の接合界面よりも断線しやすく形成される。
【００２０】
また、ワイヤボンダの設定プログラムなどを適当に変更することにより、図４（ｃ）に示すように、接合界面の一部（中央部）がくびれた瓢箪形状を有するダミー金属ワイヤ３２を形成することができる。瓢箪形状のダミー金属ワイヤ３２は、同様に、通常の金属ワイヤ１２に比して、ワイヤボンド強度が劣る。このように、ワイヤボンダのプログラムを適宜変更することにより、ダミー金属ワイヤ３２は、通常の金属ワイヤ１２よりも小さいワイヤボンディング強度を有するように加工することができる。
【００２１】
このように構成されたパワーモジュール１は、高速スイッチング駆動してモータなどの電子機器に電源供給するとき、自ら生じるジュール熱による熱ストレス、および電子機器から伝わる振動による機械的ストレスに曝される。このとき、時間が経過するにつれて、通常の金属ワイヤ１２およびダミー金属ワイヤ３２の接合界面において、剥離または微小クラックが周辺部から内側に向かって進行する。そして、ワイヤボンディング強度のより小さいダミー金属ワイヤ３２が通常の金属ワイヤ１２よりも早い段階で破断する。
【００２２】
すなわち、ダミー金属ワイヤ３２のパワーサイクルＬＤ（所定通電条件下での動作寿命）は、通常の金属ワイヤ１２のパワーサイクルＬＮよりも短く、パワーサイクルＬＮの約８０％以上となるように、好適には、パワーサイクルＬＤは、パワーサイクルＬＮの約８５％〜約９５％となるように、ダミー金属ワイヤ３２は加工される。ここでは、通常の金属ワイヤ１２およびダミー金属ワイヤ３２のワイヤボンディング強度を評価するために、パワーサイクル試験を行ったが、当業者ならば理解されるように、プッシュテストおよびプルテストなどの任意の評価試験を行うことにより、ダミー金属ワイヤ３２の適当なワイヤボンディング条件を見出してもよい。
【００２３】
本発明のパワーモジュール１によれば、金属ワイヤ１２が主電極１０に接続され、ダミー金属ワイヤ３２がダミー電極３０に接続されているので、ダミー電極３０の電圧値をモニタすることにより、ダミー金属ワイヤ３２が断線したかどうか、例えば、図５に示すような外部制御回路部５０を用いて容易に検出することができる。
【００２４】
図５において、チップ電極２２に接続される金属ワイヤ１２およびダミー金属ワイヤ３２の配線抵抗がそれぞれＲ１およびＲ２で図示されている。すなわち、配線抵抗Ｒ１およびＲ２は、並列に接続されている。図５の点線で囲まれた外部制御回路部５０は、概略、センス抵抗５２（ｒ）と、コンパレータ５４とを有する。コンパレータ５４の一方の入力端には、電圧Ｖｒｅｆを抵抗５６，５８で分圧して得られた基準電圧が供給され、他方の入力端には、抵抗６０およびコンデンサ６２からなるローパスフィルタによりノイズ除去されたセンス抵抗５２の電圧降下が入力される。
【００２５】
ダミー金属ワイヤ３２が断線すると（配線抵抗Ｒ２が無限大となり）、センス抵抗５２に電流が流れなくなり（その両端の電圧降下がゼロとなり）、コンパレータ５４がこれを検知して、出力信号ＶｏｕｔをＬｏｗレベルに切り換える。こうして、外部制御回路部５０は、ダミー金属ワイヤ３２が断線したと判断し、適当なインジケータを介して使用者にアラームを出すか、あるいはＬｏｗレベルの出力信号Ｖｏｕｔを駆動回路部（ともに図示せず）に供給して、半導体チップ２０の動作を安全に停止してもよい。
【００２６】
このように、本発明によれば、センス抵抗５２の両端の電圧値をモニタすることにより、通常の金属ワイヤ１２よりも経時的に破断しやすいダミー金属ワイヤ３２の断線を検出し、通常の金属ワイヤ１２が断線する蓋然性が高くなる時期を使用者に知らせ、故障に至る前の費用対効果の高い時期にパワーモジュール１を交換することができる。したがって、本発明によれば、パワーモジュール１の故障に起因して、致命的な不具合を電子機器に与えることなく、より安価なコストで電子機器をメンテナンスすることができる。
【００２７】
実施の形態２．
図６を参照しながら、本発明に係るパワーモジュールの実施の形態２について以下に説明する。実施の形態２のパワーモジュール２は、実施の形態１では外部に設けられた制御回路部を内蔵した点を除き、実施の形態１のパワーモジュール１と同様の構成を有するので、重複する部分に関する詳細な説明を省略する。
【００２８】
実施の形態２のパワーモジュール２は、図６に示すように、ケース６内に制御回路部７０を内蔵する。実施の形態２の制御回路部７０は、実施の形態１と同様の回路構成を有する。図６に示す制御回路部７０は、制御回路基板７２上に形成されたパターン電極７４と、チップ電極２２およびパターン電極７４を電気的に接続するダミー金属ワイヤ７６と、パターン電極７４および第２の電極３０を電気的に接続する金属ワイヤ７８と、を有する。制御回路部７０は、同様に、パターン電極７４に接続されたセンス抵抗８０を有する。上述のように、実施の形態２の内蔵制御回路部７０は、図６では詳細図示しないが、実施の形態１の外部制御回路部５０と同様の図５に示すような回路構成を有する。
【００２９】
なお、センス抵抗８０は、制御回路基板７２上に実装されたチップ抵抗器として構成されるが、他の任意の抵抗器であってもよく、例えば、制御回路基板７２上に形成されたプリント配線による配線インダクタンスを用いてもよい。
【００３０】
こうして、実施の形態１と同様、実施の形態２の制御回路部７０によれば、通常の金属ワイヤ１２よりも信頼性の低いダミー金属ワイヤ７６が断線したことを検出することにより、通常の金属ワイヤ１２の断線を予測し、その断線にかかわる事故（半導体装置の焼損などを含む）を未然に防止することができる。
【００３１】
なお、ＩＧＢＴチップなどの半導体チップ２０は、主電流用セルと電流センス用セル（図示せず）がモノリシックに集積されたものであってもよい。また、主電流用セルおよび電流センス用セルは、例えば、図７に示すように、それぞれエミッタ主電極（チップ主電極）２２ａおよびエミッタセンス電極（センス電流電極）２２ｂを有する。すなわち、チップ電極２２は、実施の形態１および２においては、図２および図６では単一の電極として図示されたが、図７に示すように、主電流を流す金属ワイヤ１２に接続されるエミッタ電極２２ａと、主電流が流れることのない、微小センス電流が流れるセンス電流電極２２ｂと、を有する。このように、図７に示す半導体チップ２０は、エミッタ電極２２ａおよび電流センス電極２２ｂを有し、通常の金属ワイヤ１２は、エミッタ電極２２ａに電気的に接続され、ダミー金属ワイヤ７６は、電流センス電極２２ｂにワイヤボンディングされる。
【００３２】
次に、実施の形態１および２に係る変形例１ないし４について説明するが、理解を容易にするために、実施の形態１に関する図１ないし図４を用いて説明する。
【００３３】
変形例１．
変形例１のパワーモジュール１は、図８に示すように、通常の金属ワイヤ１２よりも小さい径を有する（より細い）ダミー金属ワイヤ３２を用いる点を除いて、実施の形態１のパワーモジュール１と同様の構成を有するので、重複する部分に関する詳細な説明を省略する。
【００３４】
通常の金属ワイヤ１２よりも実質的に小さい径を有するダミー金属ワイヤ３２は、最適化されたワイヤボンディング条件下でワイヤボンディングされた場合であっても、その接合面積およびワイヤボンディング強度が通常の金属ワイヤ１２を超えることはない。すなわち、通常の金属ワイヤ１２より断線しやすいダミー金属ワイヤ３２を容易に加工することができる。こうして、ダミー金属ワイヤ３２の断線を検出することにより、通常の金属ワイヤ１２が断線して、パワーモジュール１が故障する蓋然性が高くなる時期を知り、故障に至る前の費用対効果の高い時期にパワーモジュール１をメンテナンスすることができるとともに、パワーモジュール１が搭載される電子機器に重大な不具合をもたらすことを防止することができる。
【００３５】
変形例２．
変形例２のパワーモジュール１は、図９に示すように、通常の金属ワイヤ１２よりも長いダミー金属ワイヤ３２を用いる点を除いて、実施の形態１のパワーモジュール１と同様の構成を有するので、重複する部分に関する詳細な説明を省略する。
【００３６】
一般に、ワイヤボンディング長が長くなればなるほど、通電時に金属ワイヤから生じるジュール熱は大きくなる。すなわち、ダミー金属ワイヤ３２は、パワーモジュール通電時、通常の金属ワイヤ１２より高温となる。したがって、ダミー金属ワイヤ３２の接合界面における熱ストレスは、通常の金属ワイヤ１２の接合界面における熱ストレスより大きくなり、ダミー金属ワイヤ３２は、これらの接合界面において、通常の金属ワイヤ１２より断線しやすくなる。そして同様に、ダミー金属ワイヤ３２の断線を検出することにより、パワーモジュール１が故障する蓋然性が高くなる時期を知り、故障に至る前の費用対効果の高い時期にパワーモジュール１を交換することができる。
【００３７】
変形例３．
変形例３のパワーモジュール１は、通常の金属ワイヤ１２とダミー金属ワイヤ３２が互いに異なる材料組成を用いて形成される点を除いて、実施の形態１のパワーモジュール１と同様の構成を有するので、重複する部分に関する詳細な説明を省略する。
【００３８】
通常の金属ワイヤ１２は、例えば、Ａｌ−約９５重量％およびＮｉ−約５重量％を含むアルミニウム合金から構成される一方、ダミー金属ワイヤ３２は、例えば、Ａｌ−約９０重量％，Ｎｉ−約１０重量％を含む、組成比の異なるアルミニウム合金を用いて構成される。その結果、ダミー金属ワイヤ３２の接合界面におけるボンディング強度が、通常の金属ワイヤ１２よりも小さくなり、ダミー金属ワイヤ３２が通常の金属ワイヤ１２よりも断線しやすくなる。こうして構成されたパワーモジュール１において、ユーザは、ダミー金属ワイヤ３２が断線したことを知ると、パワーモジュール１が故障する前であって、経済的に効率的な時期にパワーモジュール１を交換することができる。
【００３９】
変形例４．
変形例４のパワーモジュール１は、図１０のハッチングで示すように、ダミー金属ワイヤ３２が接合されるダミー電極３０またはチップ電極２２の一部の領域の上に、接合強度を低減するような皮膜３４a，３４ｂを形成する点を除いて、実施の形態１のパワーモジュール１と同様の構成を有するので、重複する部分に関する詳細な説明を省略する。
【００４０】
金属ワイヤ１２と電極の接合は、分子間力により接合されることが知られており、ダミー金属ワイヤ３２をワイヤボンディングする前に、この分子間力接合を阻害する任意の成分からなる皮膜３４ａまたは３４ｂを、それぞれダミー金属ワイヤ３２の接合領域となるダミー電極３０、またはダミー金属ワイヤ３２が接合されるチップ電極２２の一部の領域の上に形成する。また、ダミー金属ワイヤ３２の接合領域の表面を削摩して、表面粗さ（凹凸）を通常の金属ワイヤ１２の場合より大きく仕上げてもよい。こうして、ダミー金属ワイヤ３２が通常の金属ワイヤ１２よりも断線しやすくなるように、ダミー金属ワイヤ３２を加工することができる。したがって、ユーザは、同様に、ダミー金属ワイヤ３２が断線したことを知ると、パワーモジュール１が故障する前であって、経済的に効率的な時期にパワーモジュール１を交換することができる。
【図面の簡単な説明】
【００４１】
【図１】本発明の実施の形態１による半導体装置の部分的断面図である。
【図２】図１に示す半導体装置の平面図である。
【図３】図１に示す半導体チップの拡大図であって、ワイヤボンダのヘッド部と金属ワイヤを示す。
【図４】通常の金属ワイヤとダミー金属ワイヤの接合界面を示す。
【図５】図１に示す半導体装置に用いられる外部制御回路部の回路図である。
【図６】本発明の実施の形態２による半導体装置の平面図である。
【図７】実施の形態２による別の半導体装置の平面図である。
【図８】変形例１による半導体装置の部分拡大平面図である。
【図９】変形例２による半導体装置の部分拡大平面図である。
【図１０】変形例４による半導体装置の部分拡大平面図である。
【符号の説明】
【００４２】
１  パワーモジュール（半導体装置）、５  金属ベース板、６  ケース、７，９  導電性接着剤（半田）、８  絶縁基板、１０，１１  主電極、１２，１３  通常の金属ワイヤ、２０  半導体チップ（ＩＧＢＴ）、２２  チップ電極、２２ａ  エミッタ主電極（チップ主電極）、２２ｂ  エミッタセンス電極（センス電流電極）、３０  ダミー電極、３２  ダミー金属ワイヤ、３４  皮膜、４０  ワイヤボンダヘッド、５０  外部制御回路部、５２  センス抵抗、５４  コンパレータ、５６，５８，６０  抵抗、６２  コンデンサ、６４  電子機器の電源入力端子、７０  内蔵制御回路部、７２  制御回路基板、７４  パターン電極、７６  ダミー金属ワイヤ、７８  金属ワイヤ、８０  センス抵抗。
【図１】
2005311213.tif 000003
【図２】
2005311213.tif 000004
【図３】
2005311213.tif 000005
【図４】
2005311213.tif 000006
【図５】
2005311213.tif 000007
【図６】
2005311213.tif 000008
【図７】
2005311213.tif 000009
【図８】
2005311213.tif 000010
【図９】
2005311213.tif 000011
【図１０】
2005311213.tif 000012